(57)【要約】【課題】比較的に簡易な構造で画像の制御処理を実施することができる電子機器並びに表示画面の制御処理方法および表示画面の制御処理プログラムを提供する。【解決手段】電子機器１１には、空間的に隔てられる複数の接点で個別に導通を確立するスイッチ２３ａ〜２３ｉが組み込まれる。スイッチ２３ａ〜２３ｉには制御回路３３が接続される。制御回路３３には、画像を映し出す表示画面４５を区画するディスプレイパネル１５が接続される。所定の時間内に２つの接点の導通が順次に検出されると、制御回路３３は画像の制御処理を指示する。こうした電子機器１１では、制御回路３３は例えば始点の接点と終点の接点とで順次に導通を検出すれよい。こうした導通を確立する接点は一般に広く用いられる。比較的に簡易な構造で画像の制御処理は実施されることができる。【選択図】図６
2006092025.tif 000002
【特許請求の範囲】
【請求項１】
画像を映し出す表示画面を区画するディスプレイパネルと、空間的に隔てられる複数の接点で個別に導通を確立するスイッチと、所定の時間内に２つの接点の導通が順次に検出されると、画像の制御処理を指示する制御回路とを備えることを特徴とする電子機器。
【請求項２】
請求項１に記載の電子機器において、前記制御回路は、所定の方向に配置される複数の前記接点で順次に導通が検出されると、前記画像の制御処理としてスクロールを指示することを特徴とする電子機器。
【請求項３】
請求項２に記載の電子機器において、前記制御回路は、導通する接点の配置に基づき特定される移動ベクトルに前記スクロールの方向を関連付けることを特徴とする電子機器。
【請求項４】
請求項１に記載の電子機器において、前記制御回路は、所定の方向に配置される複数の前記接点で順次に導通が検出されると、前記画像の制御処理として画像のズームを指示することを特徴とする電子機器。
【請求項５】
空間的に隔てられる複数の接点で個別に導通を確立するスイッチで、所定の時間内に２つの接点の導通を順次に検出する工程と、導通が検出されると、ディスプレイパネルの表示画面上で画像の制御処理を実施する工程とを備えることを特徴とする表示画面の制御処理方法。
【請求項６】
請求項５に記載の表示画面の制御処理方法において、所定の方向に配置される複数の前記接点で順次に導通が検出されると、前記画像の制御処理としてスクロールを指示することを特徴とする表示画面の制御処理方法。
【請求項７】
請求項５に記載の表示画面の制御処理方法において、所定の方向に配置される複数の前記接点で順次に導通が検出されると、前記画像の制御処理としてズームを指示することを特徴とする表示画面の制御処理方法。
【請求項８】
空間的に隔てられる複数の接点で個別に導通を確立するスイッチで、所定の時間内に２つの接点の導通を順次に検出する工程と、導通を検出すると、画像の制御処理を指示する工程とをプロセッサに実行させることを特徴とする表示画面の制御処理プログラム。
【請求項９】
請求項８に記載の表示画面の制御処理プログラムにおいて、所定の方向に配置される複数の前記接点で順次に導通が検出されると、前記画像の制御処理としてスクロールを指示することを特徴とする表示画面の制御処理プログラム。
【請求項１０】
請求項８に記載の表示画面の制御処理プログラムにおいて、所定の方向に配置される複数の前記接点で順次に導通が検出されると、前記画像の制御処理としてズームを指示することを特徴とする表示画面の制御処理プログラム。
【発明の詳細な説明】
【技術分野】
【０００１】
本発明は、例えば携帯情報端末（ＰＤＡ）や携帯電話端末装置といった電子機器に関し、特に、画像を映し出す表示画面を区画するディスプレイパネルを備える電子機器に関する。
【背景技術】
【０００２】
例えば携帯電話端末装置には表示画面を区画する液晶ディスプレイ（ＬＣＤ）パネルが組み込まれる。表示画面には様々な画像が映し出される。画像のスクロールといった制御処理にあたって、携帯電話端末装置にはいわゆるスクロールキーが組み込まれる。
【特許文献１】特開平１１−１２６１２６号公報
【発明の開示】
【発明が解決しようとする課題】
【０００３】
こうした携帯電話端末装置では、スクロールキーは例えば十字ボタンとは別個に配置される。しかも、スクロールキーは例えば円盤状や円柱形の回転体で構成される。こうしたスクロールキーの実現にあたって、携帯電話端末装置内には複雑な構造が組み込まれなければならない。
【０００４】
本発明は、上記実状に鑑みてなされたもので、比較的に簡易な構造で画像の制御処理を実施することができる電子機器並びに表示画面の制御処理方法および表示画面の制御処理プログラムを提供することを目的とする。
【課題を解決するための手段】
【０００５】
上記目的を達成するために、第１発明によれば、画像を映し出す表示画面を区画するディスプレイパネルと、空間的に隔てられる複数の接点で個別に導通を確立するスイッチと、所定の時間内に２つの接点の導通が順次に検出されると、画像の制御処理を指示する制御回路とを備えることを特徴とする電子機器が提供される。
【０００６】
こうした電子機器では、画像の制御処理にあたって、制御回路は所定の時間内に２つの接点の導通を順次に検出すればよい。すなわち、始点の接点と終点の接点とで順次に導通が確立されればよい。比較的に簡単に画像の制御処理は実施されることができる。しかも、導通を確立する接点は一般に広く用いられる。比較的に簡易な構造で画像の制御処理は実施されることができる。
【０００７】
制御回路は、所定の方向に配置される複数の接点で順次に導通が検出されると、画像の制御処理としてスクロールを指示すればよい。こうして比較的に簡単に画像のスクロールは実施されることができる。比較的に簡易な構造で画像のスクロールは実施されることができる。
【０００８】
こういった電子機器では、制御回路は、導通する接点の配置に基づき特定される移動ベクトルにスクロールの方向を関連付ければよい。接点が例えば上下方向に配置されれば、移動ベクトルは上下方向に特定されることができる。同様に、接点が例えば左右方向に配置されれば、移動ベクトルは左右方向に特定されることができる。こうして比較的に簡単に上下左右方向のスクロールが実現されることができる。
【０００９】
スイッチは、少なくとも３行３列のマトリックスに接点を配置すればよい。例えば電子機器の利用者の指に基づき接点の導通が確立されれば、利用者の指の移動量はできる限り短縮されることができる。利用者は例えば親指１本で２つの接点の導通を確立することができる。これまでの電子機器に比べて操作性は向上することができる。加えて、マトリックスに配置される接点のうち、例えば十文字に配置される接点が十字ボタンとして機能すれば、接点は十字ボタンおよびスクロールボタンの両方の機能を兼ねることができる。
【００１０】
以上のような電子機器では、制御回路は、所定の方向に配置される複数の接点で順次に導通が検出されると、画像のズームを指示してもよい。こうして画像のズームの実施にあたって、所定の方向に配置される接点で導通が確立されればよい。比較的に簡単に画像のズームは実施されることができる。導通を確立する接点は一般に広く用いられる。比較的に簡易な構造で画像のズームは実施されることができる。
【００１１】
こうした電子機器は例えば電池に基づき駆動すればよい。電池は一次電池であってもよく、充電可能な二次電池であってもよい。こうした電池の働きで利用者は電子機器を携帯して利用することができる。しかも、前述されるように、制御処理の実施にあたって接点で導通が検出されればよい。導通の検出時にのみ電力が消費されれば、電力の消費量はできる限り低減されることができる。利用者は長時間にわたって電子機器を利用することができる。
【００１２】
第２発明によれば、空間的に隔てられる複数の接点で個別に導通を確立するスイッチで、所定の時間内に２つの接点の導通を順次に検出する工程と、導通が検出されると、ディスプレイパネルの表示画面上で画像の制御処理を実施する工程とを備えることを特徴とする表示画面の制御処理方法が提供される。
【００１３】
こうした表示画面の制御処理方法では、画像の制御処理の実施にあたって、所定の時間内に２つの接点の導通を順次に検出されればよい。すなわち、始点の接点と終点の接点とで順次に導通が確立されればよい。導通を確立する接点は一般に広く用いられる。比較的に簡易な構造で画像の制御処理は実施されることができる。
【００１４】
こういった表示画面の制御処理方法では、所定の方向に配置される複数の接点で順次に導通が検出されると、画像の制御処理としてスクロールが指示されればよい。こうして比較的に簡単に画像のスクロールは実施されることができる。比較的に簡易な構造で画像のスクロールは実施されることができる。
【００１５】
こういった表示画面の制御処理方法では、導通する接点の配置に基づき特定される移動ベクトルにスクロールの方向が関連付けられればよい。接点が例えば上下に配置されれば、移動ベクトルは上下方向に特定されることができる。同様に、接点が例えば左右方向に配置されれば、移動ベクトルは左右方向に特定されることができる。こうして比較的に簡単に上下左右方向のスクロールが実現されることができる。
【００１６】
同様に、所定の方向に配置される複数の接点で順次に導通が検出されると、画像の制御処理としてズームが指示されればよい。こうして比較的に簡単に画像のズームは実施されることができる。比較的に簡易な構造で画像のズームは実施されることができる。
【００１７】
こういった制御処理方法の実現にあたって、空間的に隔てられる複数の接点で個別に導通を確立するスイッチで、所定の時間内に２つの接点の導通を順次に検出する工程と、導通を検出すると、画像の制御処理を指示する工程とをプロセッサに実行させることを特徴とする表示画面の制御処理プログラムが提供される。こうしたプログラムは例えば携帯情報端末（ＰＤＡ）や携帯電話端末装置といった電子機器に組み込まれればよい。
【発明の効果】
【００１８】
以上のように本発明によれば、比較的に簡易な構造で画像の制御処理を実施することができる電子機器並びに表示画面の制御処理方法および表示画面の制御処理プログラムが提供されることができる。
【発明を実施するための最良の形態】
【００１９】
以下、添付図面を参照しつつ本発明の一実施形態を説明する。
【００２０】
図１は、本発明の一実施形態に係る電子機器すなわち携帯情報端末（以下「ＰＤＡ」という）１１の外観を概略的に示す。このＰＤＡ１１は、例えばマザーボードといったプリント基板を収容する筐体１２を備える。マザーボード上には制御回路すなわちＣＰＵ（中央演算処理装置）やメモリといった電子回路素子が搭載される。ＣＰＵは、例えばメモリに一時的に格納されるソフトウェアプログラムやデータに基づき様々な演算処理を実行する。
【００２１】
筐体１２には表示画面を区画する液晶ディスプレイ（ＬＣＤ）パネル１３といった平面ディスプレイパネルが組み込まれる。ＬＣＤパネル１３は、筐体１２に区画される矩形の窓孔１４に臨む。こういったＬＣＤパネル１３の表面には例えばタッチパネルが重ね合わせられてもよい。例えばスタイラスペンの操作に基づきタッチパネルからＣＰＵに向けて様々な指令やデータは入力されることができる。
【００２２】
ＬＣＤパネル１３の表面には二次元のｘｙ座標系が設定される。ｘｙ座標系のｙ座標軸は表示画面の上下方向を規定する。同様に、ｘｙ座標系のｘ座標軸は表示画面の左右方向を規定する。表示画面上に例えば横書きのテキストといった画像が表示されると、１行の文字列はｘ座標軸に平行に配置される。この表示で上下方向に画像のスクロールが実施されると、１行の文字列はｙ座標軸に沿って表示画面上で平行移動する。この表示で左右方向に画像のスクロールが実施されると、１行の文字列はｘ座標軸に沿って表示画面上で平行移動する。
【００２３】
筐体１２には方形の開口１５が形成される。開口１５には同様に方形のスイッチボタン１６が配置される。スイッチボタン１６の表面には、前述のｙ座標軸を反映する上下１対の三角印１６ａ、１６ｂと、前述のｘ座標軸を反映する左右１対の三角印１６ｃ、１６ｄとが刻まれる。こうしてスイッチボタン１６の表面には上下左右の三角印１６ａ〜１６ｄに基づき二次元のｘｙ座標系が規定される。スイッチボタン１６のｘｙ座標系はＬＣＤパネル１３のｘｙ座標系を反映する。こういったスイッチボタン１６の働きでＰＤＡ１１の利用者はＣＰＵに向けて様々な指令を入力することができる。
【００２４】
このＰＤＡ１１は例えば電池（図示されず）に基づき駆動する。電池は例えば筐体１２の背面に区画される収容空間に組み込まれればよい。こういった電池には、乾電池といった一次電池が利用されてもよく、充電可能な二次電池が用いられてもよい。こうした電池の働きで利用者はＰＤＡ１１を携帯して利用することができる。
【００２５】
図２に示されるように、筐体１２の内部に収容されるマザーボード２１上にはスイッチ群２２が配置される。前述のスイッチボタン１６はスイッチ群２２上に受け止められる。ただし、こうしてスイッチ群２２上に受け止められる限り、スイッチボタン１６は円形に形成されてもよい。スイッチ群２２では例えば３行３列のマトリックスにドームスイッチ２３ａ〜２３ｉが配置される。各ドームスイッチ２３ａ〜２３ｉは空間的に例えば等間隔に隔てられればよい。
【００２６】
スイッチボタン１６の中央位置すなわちｘｙ座標系の原点位置に支点用ドームスイッチ２３ｅが配置される。スイッチボタン１６の上辺、下辺、右辺および左辺の中央位置には十字ボタン用ドームスイッチ２３ｄ、２３ｆ、２３ｈ、２３ｂが配置される。スイッチボタン１６の４隅にはスクロール用ドームスイッチ２３ａ、２３ｃ、２３ｇ、２３ｉが配置される。
【００２７】
図３に示されるように、スイッチボタン１６は、ボタン本体２６と、ボタン本体２６の裏面に貼り付けられる弾性体２７とを備える。ボタン本体２６は例えばポリカーボネートといった硬質のプラスチック材料から成型されればよい。スイッチボタン１６は開口１５内で弾性部材２８に支持される。弾性体２７や弾性部材２８は例えばゴムといった弾性樹脂材料から形成されればよい。
【００２８】
弾性体２７には、個々のドームスイッチ２３ａ〜２３ｉに向き合わせられる複数の突起２９ａ〜２９ｉが一体に形成される。突起２９ａ〜２９ｉは、ドームスイッチ２３ａ〜２３ｉと同様に３行３列のマトリックスに配置される。突起２９ａ〜２９ｉはマザーボード２１の表面に対して垂直方向に延びる。スイッチボタン１６は筐体１２の内部空間に向かって変位することができる。
【００２９】
支点用ドームスイッチ２３ｅに向き合わせられる突起２９ｅは弾性体２７の裏面から第１高さで突き出る。同様に、十字ボタン用ドームスイッチ２３ｂ、２３ｈに向き合わせられる突起２９ｂ、２９ｈは弾性体２７の裏面から第１高さよりも小さい第２高さで突き出る。十字ボタン用ドームスイッチ２３ｄ、２３ｆに向き合わせられる突起２９ｄ、２９ｆは弾性体２７の裏面から第２高さで突き出る。
【００３０】
図４に示されるように、スクロール用ドームスイッチ２３ｃ、２３ｉに向き合わせられる突起２９ｃ、２９ｉは弾性体２７の裏面から第１および第２高さよりも小さい第３高さで突き出る。同様に、スクロール用ドームスイッチ２３ａ、２３ｇに向き合わせられる突起２９ａ、２９ｇは弾性体２７の裏面から第３高さで突き出る。
【００３１】
図３および図４に示されるように、個々のドームスイッチ２３ａ〜２３ｉは、マザーボード２１の表面に張り合わせられるドーム形の電極３１を備える。こうした電極３１は、周知の通りに、マザーボード２１の表面との間に空間を区画する樹脂フィルム製のドームと、ドームの内側に形成される上側導電膜とから構成される。樹脂フィルムには例えばポリエステルやポリカーボネートといった樹脂材料が利用されればよい。
【００３２】
その一方で、マザーボード２１の表面には、前述の上側導電膜に所定の間隔で向き合わせられる下側導電膜が形成される。上側および下側導電膜は、マザーボード２１上に張り巡らされる導電パターンに個別に接続される。筐体１２の表面に対して垂直方向に押し下げられると、スイッチボタン１６の突起２９ａ〜２９ｉはマザーボード２１の表面に向かってドームの頂上を押し込む。こうして上側および下側導電膜同士は相互に接触し合う。個々のドームスイッチ２３ａ〜２３ｉで導通は確立される。こういった上側および下側導電膜は接点を構成する。
【００３３】
電極３１のドームには空気孔３２が区画される。空気孔３２はドームの内外で空気の出入りを確保する。所定の押し込み力でドームの頂上が押し込まれると、空気孔３２からドーム内の空気は逃される。その結果、ドームの変形は達成される。前述されるように、導通は確立される。ドームの頂上が押し込み力から解放されると、空気孔３２からドーム内に大気は導入される。その結果、ドームは原形に復帰することができる。導通は解除される。
【００３４】
図５に示されるように、例えばドームスイッチ２３ｇ上すなわちスイッチボタン１６の右上隅でスイッチボタン１６がマザーボード２１の表面に向かって押し込まれると、突起２９ｇは突起２９ｅを支点にマザーボード２１の表面に向かって押し込まれる。この突起２９ｇの押し込みに基づきスクロール用ドームスイッチ２３ｇで導通が確立される。支点用ドームスイッチ２３ｅは他のドームスイッチに比べて大きな押し込み力に耐えることができる。こうして突起２９ｅは支点として機能することができる。その結果、支点用ドームスイッチ２３ｅでは導通の確立は回避される。しかも、突起２９ｅの第１高さは突起２９ｄ、２９ｈの第２高さよりも大きく設定されることから、十字ボタン用ドームスイッチ２３ｄ、２３ｈで導通の確立は回避される。すなわち、行Ｒ２およびＲ３並びに列Ｃ１およびＣ２のドームスイッチ２３ａ〜２３ｆ、２３ｈ、２３ｉで導通の確立は回避される。
【００３５】
その他、例えば十字ボタン用ドームスイッチ２３ｈ上すなわちスイッチボタン１６の三角印１６ｄでスイッチボタン１６が押し込まれると、突起２３ｈは突起２９ｅを支点にマザーボード２１の表面に向かって押し込まれる。この突起２９ｈの押し込みに基づきドームスイッチ２３ｈで導通が確立される。前述されるように、支点用ドームスイッチ２３ｅでは導通の確立は回避される。しかも、突起２３ｇ、２３ｉの第３高さは突起２３ｈの第２高さよりも小さく設定されることから、スクロール用ドームスイッチ２３ｇ、２３ｉで導通の確立は回避される。すなわち、行Ｒ１およびＲ３並びに列Ｃ１およびＣ２のドームスイッチ２３ａ〜２３ｇ、２３ｉでは導通の確立は回避される。
【００３６】
その他、支点用ドームスイッチ２３ｅ上すなわちｘｙ座標系の原点でスイッチボタン１６が押し込まれると、突起２３ｅはマザーボード２１の表面に向かって押し込まれる。突起２９ｅの押し込みに基づきドームスイッチ２３ｅで導通が確認される。前述されるように、突起２９ｅの第１高さはその他の突起２９ａ〜２９ｄ、２９ｆ〜２９ｉの第２および第３高さよりも大きく設定されることから、ドームスイッチ２３ａ〜２３ｄ、２３ｆ〜２３ｉで導通の確立は回避される。以上のように、スイッチ群２２では、スイッチボタン１６の押し込みに基づき各ドームスイッチ２３ａ〜２３ｉで個別に導通は確立されることができる。
【００３７】
図６に示されるように、ＰＤＡ１１では、各ドームスイッチ２３ａ〜２３ｉに制御回路すなわちＣＰＵ３３が接続される。ドームスイッチ２３ａ〜２３ｉで導通が確立される間、個々のドームスイッチ２３ａ〜２３ｉからＣＰＵ３３に導通信号が送り出される。導通が解除されると、導通信号の送り出しは停止される。こうしてＣＰＵ３３は、各ドームスイッチ２３ａ〜２３ｉごとに導通の確立および解除を検出することができる。こういったＣＰＵ３３は、後述されるように、画像のスクロールや画像のズームといった表示画面すなわち画像の制御処理を指示することができる。
【００３８】
ＣＰＵ３３は、導通するドームスイッチ２３ａ〜２３ｉの配置に基づき移動ベクトルを特定することができる。同時に、ＣＰＵ３３は、移動ベクトルに表示画面上で画像のスクロールの方向や画像のズームを関連付けることができる。こうした移動ベクトルの始点はスクロール用ドームスイッチ２３ａ、２３ｃ、２３ｇ、２３ｉに設定される。移動ベクトルの特定の詳細は後述される。こうしてＣＰＵ３３は、スイッチボタン１６の押し込みに基づき画像のスクロールや画像のズームを指示する。ここでは、画像のスクロールの方向は、前述されるように、ＬＣＤパネル１３の表示画面上で上下左右方向に規定される。画像のズームにはズームインおよびズームアウトが含まれる。
【００３９】
ＣＰＵ３３にはタイマー３４が接続される。タイマー３４は所定の時間を計測することができる。ＣＰＵ３３は、スクロール用ドームスイッチ２３ａ、２３ｃ、２３ｇ、２３ｉのうちの少なくともいずれかで導通を検出すると、タイマー３４に時間の計測開始を指示する。所定の時間が計測されると、タイマー３４はＣＰＵ３３に所定の時間が経過した旨の時間経過通知を送り出す。タイマー３４では、所定の時間は例えば１００ミリ秒に設定されればよい。
【００４０】
ＣＰＵ３３には、ＲＡＭ（ランダムアクセスメモリ）３６や不揮発性メモリ３７が接続される。不揮発性メモリ３７には例えばフラッシュメモリが利用されればよい。不揮発性メモリ３７にはＯＳ（オペレーティングシステム）３８といった基本ソフトウェアやアプリケーションソフトウェア３９が格納される。ＣＰＵ３３は、ＯＳ３８や例えばＲＡＭ３６に一時的に取り込まれるアプリケーションソフトウェア３９に従って所定の手順を実行することができる。アプリケーションソフトウェア３９の詳細は後述される。
【００４１】
ＣＰＵ３３には、ビデオチップ４１がさらに接続される。ビデオチップ４１にはＶＲＡＭ（ビデオランダムアクセスメモリ）４２が接続される。ビデオチップ４１は、ＣＰＵ３３からの指示に基づき背景やテキスト、グラフィックを生成する。生成された背景やテキスト、グラフィックはＶＲＡＭ４２に書き込まれる。ＶＲＡＭ４２に書き込まれた背景やテキスト、グラフィックの合成画像はＬＣＤパネル１３の表示画面上に映し出される。
【００４２】
例えばワープロソフトウェアといったアプリケーションソフトウェア３９が起動されると、図７に示されるように、ＬＣＤパネル１３の表示画面４５上にはウィンドウ４６が表示される。ウィンドウ４６の画像は例えばＯＳ３８の働きで生成される。ウィンドウ４６内には例えば横書きのテキスト４７が表示される。テキスト４７は例えばｘ座標軸に平行に配置される。こうして表示画面４５上にはウィンドウ４６およびテキスト４７の合成画像が表示される。
【００４３】
ウィンドウ４６の右端には、テキスト４７の上下方向のスクロールを実現する垂直スクロールバー４８が配置される。ウィンドウ４６の下端には、テキスト４７の左右方向のスクロールを実現する水平スクロールバー４９が配置される。垂直および水平スクロールバー４８、４９にはそれぞれスクロールボックス５１が配置される。スクロールボックス５１が垂直スクロールバー４８内で上下方向に移動すると、テキスト４７は上下方向にスクロールする。同様に、スクロールボックス５１が水平スクロール４９内で左右方向に移動すると、テキスト４７は左右方向にスクロールする。
【００４４】
ウィンドウ４６内にはカーソル５２が表示される。カーソル５２は例えばテキスト４７の左端に配置される。カーソル５２は表示画面４５上でテキスト４７の１文字ごとに上下左右方向に移動することができる。カーソル５２の移動にあたってスイッチボタン１６が用いられる。スイッチボタン１６の押し込みに基づき例えば十字ボタン用ドームスイッチ２３ｄ、２３ｆ、２３ｂ、２３ｈのいずれかで導通が確立されると、ＣＰＵ３３の働きでカーソル５２は表示画面４５上で上下左右方向に移動する。こうしてスイッチボタン１６は十字ボタンとして機能する。カーソル５２が例えば表示画面４５の下端からさらに下方向に移動すると、テキスト４７は上方向に移動する。カーソル５２が例えば表示画面４５の右端からさらに右方向に移動すると、テキスト４７は左方向に移動する。
【００４５】
いま、ＬＣＤパネル１３の表示画面４５上で左右方向に画像のスクロールを実現する場面を想定する。ここでは、前述の通り、表示画面４５上にウィンドウ４６およびテキスト４７の合成画像が表示される。画像のスクロールの実現にあたって、ＣＰＵ３３は、不揮発性メモリ３７に格納されるアプリケーションソフトウェア３９を実行する。ＣＰＵ３３はドームスイッチ２３ａ〜２３ｉの導通が検出されるか否かを監視する。図８に示されるように、ＰＤＡ１１の利用者が、例えばスイッチボタン１６の左上隅を指先で押し込むと、突起２９ａはマザーボード２１の表面に向かって押し込まれる。この突起２９ａの押し込みに基づきスクロール用ドームスイッチ２３ａで導通が確立される。
【００４６】
ＣＰＵ３３は、スクロール用ドームスイッチ２３ａから導通の確立を示す導通信号を受け取る。こうしてＣＰＵ３３は、図９に示されるように、ステップＳ１で、スクロール用ドームスイッチ２３ａの導通を検出する。ＣＰＵ３３は、ステップＳ２で、導通するドームスイッチがスクロール用ドームスイッチか否かを判別する。ここでは、導通はスクロール用ドームスイッチ２３ａで確立されたことから、ＣＰＵ３３の処理動作はステップＳ３に移行する。ＣＰＵ３３は、ステップＳ３で、タイマー３４に計時の開始を指示する計時開始信号を送り出す。計時開始信号を受け取ると、タイマー３４は、予め決められた所定の時間の計測を開始する。
【００４７】
続いて、ＣＰＵ３３は、ステップＳ４で、スクロール用ドームスイッチ２３ａ以外のドームスイッチ２３ｂ〜２３ｉの導通が検出されるか否かを監視する。このとき、利用者の指先が例えばスイッチボタン１６の左上隅から右上隅に向かってスイッチボタン１６を押し込みつつ移動すると、突起２９ｄ、２９ｇはマザーボード２１の表面に向かって順次に押し込まれる。この突起２９ｄ、２９ｇの押し込みに基づき十字ボタン用ドームスイッチ２３ｄおよびスクロール用ドームスイッチ２３ｇの導通が順次に確立される。ＣＰＵ３３が、タイマー３４から時間経過通知を受け取る前に、十字ボタン用ドームスイッチ２３ｄおよびスクロール用ドームスイッチ２３ｇから導通信号を順次に受け取ると、ＣＰＵ３３の処理動作はステップＳ５に移行する。その一方で、時間経過通知を受け取る前にＣＰＵ３３が導通信号を受け取らない場合、ＣＰＵ３３はスクロールの処理動作を終了する。
【００４８】
図８に示されるように、ＣＰＵ３３は、ステップＳ５で、スクロール用ドームスイッチ２３ａ、十字ボタン用ドームスイッチ２３ｄおよびスクロール用ドームスイッチ２３ｇの配置に基づき移動ベクトル５３を特定する。ここでは、移動ベクトル５３はスクロール用ドームスイッチ２３ａの中心からスクロール用ドームスイッチ２３ｇの中心に向かって延びる矢印で規定される。こうした移動ベクトル５３の特定にあたって、ＣＰＵ３３は導通の位置の移動量を算出する。導通の位置は行Ｒ１上で列Ｃ１から列Ｃ３へ移動したことから、移動量は３列分と算出される。こうして移動ベクトル５３は特定される。この移動ベクトル５３はスイッチボタン１６上のｘ座標軸に平行に規定される。同時に、移動ベクトル５３の向きはスイッチボタン１６の右方向すなわち表示画面４５の右方向に規定される。
【００４９】
続いて、ＣＰＵ３３は、ステップＳ６で、３行分または３列分の移動量が算出されているか否かを判別する。ここでは、３列分の移動量が算出されたことから、ＣＰＵ３３の動作はステップＳ７に移行する。ＣＰＵ３３は、ステップＳ７で、特定された移動ベクトル５３がｘ座標軸およびｙ座標軸のいずれかに平行か否かを判別する。移動ベクトル５３はｘ座標軸に平行に規定されることから、ＣＰＵ３３の処理動作はステップＳ８に移行する。ＣＰＵ３３は、ステップＳ７で、移動ベクトル５３の向きに基づきＣＰＵ３３は画像のスクロールの方向を決定する。ここでは、移動ベクトル５３の向きは表示画面４５の右方向に規定されることから、ＣＰＵ３３は移動ベクトル５３に右方向への画像のスクロールを関連付ける。こうしてＣＰＵ３３は、ステップＳ９で、画像のスクロールを指示するスクロール指示信号をビデオチップ４１に送り出す。その一方で、３行分または３列分の移動量が算出されない場合、ＣＰＵ３３はスクロールの処理動作を終了する。
【００５０】
スクロール指示信号を受け取ったビデオチップ４１は表示画面４５上で画像を所定の距離にわたって移動させる。移動の距離は予め設定されればよい。表示画面４５上で画像は左方向にｘ座標軸に平行移動する。例えば図１０に示されるように、テキスト４７は表示画面４５上で左方向にｘ座標軸に平行移動する。このとき、水平スクロールバー４９内のスクロールボックス５１は右方向に水平移動する。同様に、カーソル５２はテキスト４７とともに左方向に移動する。こうして行Ｒ１に沿った方向に配置される複数のスクロール用ドームスイッチ２３ａ、２３ｇの導通が順次に検出されると、画像のスクロールが実施される。すなわち、右方向への画像のスクロールは実施される。その一方で、移動ベクトル５３の向きが前述と逆の方向すなわち表示画面４５の左方向に規定されれば、左方向への画像のスクロールは実施されることができる。
【００５１】
次に、ＬＣＤパネル１３の表示画面４５上で上下方向に画像のスクロールを実現する場面を想定する。ここでは、前述の通り、表示画面４５上にウィンドウ４６およびテキスト４７の合成画像が表示される。ＣＰＵ３３はドームスイッチ２３ａ〜２３ｉの導通が検出されるか否かを監視する。例えば図１１に示されるように、利用者の指先が例えばドームスイッチ１６の右上隅でスイッチボタン１６を押し込むと、ＣＰＵ３３は、ステップＳ１で、スクロール用ドームスイッチ２３ｇの導通を検出する。導通はスクロール用ドームスイッチ２３ｇで確立されたことから、ＣＰＵ３３の処理動作はステップＳ２からステップＳ３に移行する。ＣＰＵ３３は、ステップＳ３で、タイマー３４に計時の開始を指示する計時開始信号を送り出す。
【００５２】
続いて、ＣＰＵ３３は、ステップＳ４で、スクロール用ドームスイッチ２３ｇ以外のドームスイッチの導通が検出されるか否かを監視する。このとき、例えば図１１に示されるように、利用者の指先がスイッチボタン１６の右上隅から右下隅に向かってスイッチボタン１６を押し込みつつ移動すると、十字ボタン用ドームスイッチ２３ｈおよびスクロール用ドームスイッチ２３ｉの導通が順次に確立される。ＣＰＵ３３が、タイマー３４から時間経過通知を受け取る前に、十字ボタン用ドームスイッチ２３ｈおよびスクロール用ドームスイッチ２３ｉから導通信号を順次に受け取ると、ＣＰＵ３３の処理動作はステップＳ５に移行する。
【００５３】
ＣＰＵ３３は、ステップＳ５で、スクロール用ドームスイッチ２３ｇ、十字ボタン用ドームスイッチ２３ｈおよびスクロール用ドームスイッチ２３ｉの配置に基づき移動ベクトル５４を特定する。ここでは、移動ベクトル５４はスクロール用ドームスイッチ２３ｇの中心からスクロール用ドームスイッチ２３ｉの中心に向かって延びる矢印で規定される。導通の位置は列Ｃ３上で行Ｒ１から行Ｒ３へ移動したことから、移動量は３行分と算出される。こうして移動ベクトル５４は特定される。この移動ベクトル５４はスイッチボタン１６上のｙ座標軸に平行に規定される。同時に、移動ベクトル５４の向きはスイッチボタン１６の下方向すなわち表示画面４５の下方向に規定される。
【００５４】
続いて、ＣＰＵ３３は、ステップＳ７で、導通の位置の移動量が３行分または３列分と算出されているか否かを判別する。ここでは、３行分の移動量が算出されたことから、ＣＰＵ３３の動作はステップＳ７に移行する。移動ベクトル５４はｙ座標軸に平行に規定されることから、ＣＰＵ３３の処理動作はステップＳ７からステップＳ８に移行する。ＣＰＵ３３は、ステップＳ８で、移動ベクトル５４の向きに基づきＣＰＵ３３は画像のスクロールの方向を決定する。ここでは、移動ベクトル５４の向きはスイッチボタン１６の下方向に規定されることから、ＣＰＵ３３は移動ベクトル５４に下方向への画像のスクロールを関連付ける。こうしてＣＰＵ３３は、ステップＳ９で、画像のスクロールを指示するスクロール指示信号をビデオチップ４１に送り出す。
【００５５】
スクロール指示信号を受け取ったビデオチップ４１は表示画面４５上で画像を所定の距離にわたって移動させる。表示画面４５上で画像は下方向にｙ座標軸に平行移動する。例えば図１２に示されるように、テキスト４７は表示画面４５上で上方向にｙ座標軸に平行移動する。このとき、垂直スクロールバー４８内のスクロールボックス５１は下方向に移動する。同様に、カーソル５２はテキスト４７とともに上方向に移動する。こうして列Ｃ３に沿った方向に配置される複数のスクロール用ドームスイッチ２３ｇ、２３ｉの導通が順次に検出されると、画像のスクロールが実施される。すなわち、上方向への画像のスクロールは実施される。その一方で、移動ベクトル５４の向きが前述と逆の方向すなわち表示画面４５の上方向に規定されれば、下方向への画像のスクロールは実施されることができる。
【００５６】
以上のような画像のスクロールにあたって、必ずしも３行分または３列分のドームスイッチ２３ａ〜２３ｉで導通が確立されなくてもよい。例えば右方向への画像のスクロールの実施にあたって、スクロール用ドームスイッチ２３ａおよびスクロール用ドームスイッチ２３ｇで順次に導通が確立されればよい。十字ボタン用ドームスイッチ２３ｄで導通は確立されなくてもよい。同様に、例えば下方向への画像のスクロールの実施にあたって、スクロール用ドームスイッチ２３ｇおよびスクロール用ドームスイッチ２３ｉで順次に導通が確立されればよい。十字ボタン用ドームスイッチ２３ｈで導通は確立されなくてもよい。
【００５７】
次に、十字ボタン用ドームスイッチ２３ｄ、２３ｆ、２３ｂ、２３ｈで導通が確立される場面を想定する。前述と同様に、表示画面４５上にウィンドウ４６およびテキスト４７の合成画像が表示される。利用者の指先が例えばスイッチボタン１６の三角印１６ａの部分を押し込むと、十字ボタン用ドームスイッチ２３ｄで導通が確立される。図９に示されるように、ＣＰＵ３３は、ステップＳ１で導通を検出する。導通は十字ボタン用ドームスイッチ２３ｄで確立されたことから、ＣＰＵ３３の処理動作はステップＳ２からステップＳ１０に移行する。ＣＰＵ３３は、ステップＳ１０で、十字ボタンの処理動作を実行する。ここでは、十字ボタンの上方向の入力が確立される。その結果、例えばカーソル５２の上方向に向かう移動が実現される。カーソル５２が表示画面４５の上端に達したとき、例えばさらに十字ボタンの上方向の入力が確立されると、カーソル５２の移動に伴い画像はスクロールする。テキスト４７は下方向に移動する。
【００５８】
以上のような画像のスクロールの実施にあたって、例えば十字ボタン用ドームスイッチ２３ｄおよびスクロール用ドームスイッチ２３ｇで同時に導通が確立されてもよい。この場合、ＣＰＵ３３は、ステップＳ１で、スクロール用ドームスイッチ２３ｇの導通を検出する。その後、前述のように、所定の時間内に十字ボタン用ドームスイッチ２３ｈおよびスクロール用ドームスイッチ２３ｉで順次に導通の確立が検出されれば、ＣＰＵ３３で移動ベクトル５４は特定されることができる。こうしてＣＰＵ３３はステップＳ６〜ステップＳ９の処理動作を実施することができる。このとき、十字ボタン用ドームスイッチ２３ｄの導通は無視されればよい。こうして下方向への画像のスクロールは実施される。こういったスクロール方法によれば、スイッチボタン１６の操作性は向上することができる。
【００５９】
その他、以上のような画像のスクロールの実施にあたって、例えば図１３に示されるように、スクロール用ドームスイッチ２３ｇからスクロール用ドームスイッチ２３ｉまで順次に導通が確立される間に、支点用ドームスイッチ２３ｅおよび十字ボタン用ドームスイッチ２３ｈで同時に導通が確立されてもよい。このとき、所定の時間内にスクロール用ドームスイッチ２３ｇおよびスクロール用ドームスイッチ２３ｉで順次に導通の確立が検出されれば、ＣＰＵ３３で移動ベクトル５４は特定されることができる。こうしてＣＰＵ３３はステップＳ６〜ステップＳ９の処理動作を実施することができる。このとき、支点用ドームスイッチ２３ｅの導通は無視されればよい。こうして下方向への画像のスクロールは実施される。こういったスクロール方法によれば、スイッチボタン１６の操作性は向上することができる。
【００６０】
その他、以上のような画像のスクロールの実施にあたって、例えば図１４に示されるように、スクロール用ドームスイッチ２３ｇからスクロール用ドームスイッチ２３ｉまで順次に導通が確立される間に、スクロール用ドームスイッチ２３ｉおよび十字ボタン用ドームスイッチ２３ｆで同時に導通が確立されてもよい。このとき、所定の時間内にスクロール用ドームスイッチ２３ｇおよびスクロール用ドームスイッチ２３ｉで順次に導通の確立が検出されれば、ＣＰＵ３３で移動ベクトル５４は特定されることができる。こうしてＣＰＵ３３はステップＳ６〜ステップＳ９の処理動作を実施することができる。このとき、十字ボタン用ドームスイッチ２３ｆの導通は無視されればよい。こうして下方向への画像のスクロールは実施される。こういったスクロール方法によれば、スイッチボタン１６の操作性は向上することができる。
【００６１】
その他、以上のような画像のスクロールの実施にあたって、例えば図１５に示されるように、スクロール用ドームスイッチ２３ｇからスクロール用ドームスイッチ２３ｉまで順次に導通が確立される間に、十字ボタン用ドームスイッチ２３ｄおよびスクロール用ドームスイッチ２３ｇで同時に、支点用ドームスイッチ２３ｅおよび十字ボタン用ドームスイッチ２３ｈで同時に、十字ボタン用ドームスイッチ２３ｆおよびスクロール用ドームスイッチ２３ｉで同時に導通が確立されてもよい。このとき、所定の時間内にスクロール用ドームスイッチ２３ｇおよびスクロール用ドームスイッチ２３ｉで順次に導通の確立が検出されれば、ＣＰＵ３３で移動ベクトル５４は特定されることができる。こうしてＣＰＵ３３はステップＳ６〜ステップＳ９の処理動作を実施することができる。このとき、十字ボタン用ドームスイッチ２３ｄ、２３ｆ、支点用ドームスイッチ２３ｅの導通は無視されればよい。こうして下方向への画像のスクロールは実施される。こういったスクロール方法によれば、スイッチボタン１６の操作性は向上することができる。
【００６２】
その他、以上のような画像のスクロールの実施にあたって、例えば図１６に示されるように、スクロール用ドームスイッチ２３ｇから十字ボタン用ドームスイッチ２３ｈおよび支点用ドームスイッチ２３ｅを経由して十字ボタン用ドームスイッチ２３ｆで順次に導通が確立されてもよい。このとき、ＣＰＵ３３では、ステップＳ５で、始点のスクロール用ドームスイッチ２３ｇの中心から終点の十字ボタン用ドームスイッチ２３ｆの中心に向かう移動ベクトル５５が特定される。前述のように、移動ベクトル５５の特定にあたって、ＣＰＵ３３は導通の位置の移動量を算出する。導通の位置は行Ｒ１上の列Ｃ３から行Ｒ３上の列Ｃ２へ移動したことから、３行分および１列分の移動量が算出される。すなわち、特定された移動ベクトル５５は、ｙ座標軸に平行に規定される３行分の第１ベクトル５６と、ｘ座標軸に平行に規定される１列分の第２ベクトル５７とで規定される。ここでは、第１ベクトル５６で３行分の移動量が算出されたことから、ＣＰＵ３３はステップＳ６〜ステップＳ９の処理動作を実施することができる。このとき、十字ボタン用ドームスイッチ２３ｄおよび支点用ドームスイッチ２３ｅの導通は無視されればよい。こうして下方向への画像のスクロールは実施される。こういったスクロール方法によれば、スイッチボタン１６の操作性は向上することができる。
【００６３】
次に、スクロール用ドームスイッチ２３ａの導通が確立されてから所定の時間内にその他のドームスイッチ２３ｂ〜２３ｉの導通が確立されない場面を想定する。ＣＰＵ３３は、ステップＳ１で、例えばスクロール用ドームスイッチ２３ａで導通を検出すると、ＣＰＵ３３の処理動作はステップＳ２からステップＳ３に移行する。ＣＰＵ３３は、ステップＳ３で、タイマー３４に計時の開始を指示する計時開始信号を送り出す。ここでは、スクロール用ドームスイッチ２３ａ以外のドームスイッチ２３ｂ〜２３ｉでは導通は確立されないことから、所定の時間の経過後、ＣＰＵ３３はタイマー３４から時間経過通知を受け取る。このとき、スクロール用ドームスイッチ２３ａの導通は無視されればよい。こうしてＣＰＵ３３のスクロールの処理動作は終了する。
【００６４】
以上のようなＰＤＡ１１では、画像のスクロールの実施にあたって、ＣＰＵ３３は所定の時間内に２つの接点の導通を順次に検出すればよい。すなわち、始点の接点と終点の接点とで順次に導通が確立されればよい。こういった接点は例えばドームスイッチ２３ａ〜２３ｉから構成される。ドームスイッチ２３ａ〜２３ｉは一般に広く用いられる。比較的に簡易な構造で画像のスクロールは実施されることができる。
【００６５】
しかも、スクロールの方向は、導通するドームスイッチ２３ａ〜２３ｉの配置に基づき特定される移動ベクトルに関連付けられる。こうした移動ベクトルは例えば上下左右方向に特定されることができる。こうしてスイッチボタン１６の操作に基づき比較的に簡単に上下左右方向のスクロールが実現されることができる。
【００６６】
加えて、ドームスイッチ２３ａ〜２３ｉは部分的に十字ボタンとして機能する。スイッチボタン１６は十字ボタンおよびスクロールボタンの両方の機能を兼ねることができる。ドームスイッチ２３ａ〜２３ｉは３行３列のマトリックスに配置されることから、利用者の親指の移動量はできる限り短縮されることができる。利用者は例えば親指１本でスイッチボタン１６を操作することができる。これまでのＰＤＡに比べて操作性は向上することができる。
【００６７】
次に、表示画面４５上で画像のズームアウトすなわち縮小を実現する場面を想定する。前述と同様に、表示画面４５上にウィンドウ４６およびテキスト４７の合成画像が表示される。画像のズームの実現にあたって、ＣＰＵ３３は、不揮発性メモリ３７に格納されるアプリケーションソフトウェア３９を実行する。図１７に示されるように、ＣＰＵ３３は、ステップＳ１で、例えばスクロール用ドームスイッチ２３ｇの導通を検出する。ここでは、導通はスクロール用ドームスイッチ２３ｇで確立されたことから、ＣＰＵ３３の処理動作はステップＳ２からステップＳ３に移行する。計時開始信号に基づきタイマー３４は所定の時間の計測を開始する。
【００６８】
その後、利用者の指先が例えばスイッチボタン１６の右上隅から左下隅に向かってスイッチボタン１６を押し込みつつ移動すると、突起２９ｅ、２９ｃの押し込みに基づき支点用ドームスイッチ２３ｅおよびスクロール用ドームスイッチ２３ｃの導通が順次に確立される。ＣＰＵ３３が、タイマー３４から時間経過通知を受け取る前に支点用ドームスイッチ２３ｅおよびスクロール用ドームスイッチ２３ｃから導通信号を順次に受け取ると、ＣＰＵ３３の処理動作はステップＳ５に移行する。
【００６９】
ＣＰＵ３３は、ステップＳ５で、スクロール用ドームスイッチ２３ｇ、支点用ドームスイッチ２３ｅおよびスクロール用ドームスイッチ２３ｃの配置に基づき移動ベクトル６１を特定する。ここでは、移動ベクトル６１はスクロール用ドームスイッチ２３ｇの中心からスクロール用ドームスイッチ２３ｃの中心に向かって延びる矢印で規定される。導通の位置は行Ｒ１上の列Ｃ３から行Ｒ３上の列Ｃ１へ移動したことから、３行分および３列分の移動量が算出される。こうして特定された移動ベクトル６１は、ｙ座標軸に平行に規定される３行分の第１ベクトル６２と、ｘ座標軸に平行に規定される３列分の第２ベクトル６３とで規定される。
【００７０】
ここでは、第１ベクトル６２で３行分、第２ベクトル６３で３列分の移動量が算出されたことから、ＣＰＵ３３の動作はステップＳ６からステップＳ７に移行する。移動ベクトル６１はｘ座標軸およびｙ座標軸のいずれにも平行に規定されないことから、ＣＰＵ３３の処理動作はステップＳ７からステップＳ１１に移行する。ＣＰＵ３３は、ステップＳ１１で、移動ベクトル６１の向きに基づきＣＰＵ３３は画像のズームインおよびズームアウトのいずれかを決定する。決定にあたって、ｙ座標軸に平行な第１ベクトル６２の向きが参照される。第１ベクトル６２は表示画面４５の下方向に規定されることから、ＣＰＵ３３は第１ベクトル６２に画像のズームアウトを関連付ける。こうしてＣＰＵ３３は、ステップＳ１１で、画像のズームアウトすなわち縮小を指示する縮小指示信号をビデオチップ４１に送り出す。縮小指示信号を受け取ったビデオチップ４１は表示画面４５上で画像を縮小する。こうして斜め方向に配置されるドームスイッチ２３ｇ、２３ｃの導通が検出されると、画像の縮小が実施される。
【００７１】
以上のような画像のズームアウトの実施にあたって、所定の時間内に例えばスクロール用ドームスイッチ２３ａ、支点用ドームスイッチ２３ｅおよびスクロール用ドームスイッチ２３ｉで順次に導通が確立されてもよい。同様に、所定の時間内に例えばスクロール用ドームスイッチ２３ｇおよびスクロール用ドームスイッチ２３ｃで順次に導通が確立されてもよい。同様に、所定の時間内に例えばスクロール用ドームスイッチ２３ａおよびスクロール用ドームスイッチ２３ｉで順次に導通が確立されてもよい。
【００７２】
次に、表示画面４５上で画像のズームインすなわち拡大を実現する場面を想定する。前述と同様に、表示画面４５上にウィンドウ４６およびテキスト４７の合成画像が表示される。図１８に示されるように、ＣＰＵ３３は、ステップＳ１で、例えばスクロール用ドームスイッチ２３ｉの導通を検出する。ここでは、導通はスクロール用ドームスイッチ２３ｉで確立されたことから、ＣＰＵ３３の処理動作はステップＳ２からステップＳ３に移行する。計時開始信号に基づきタイマー３４は所定の時間の計測を開始する。
【００７３】
その後、利用者の指先が例えばスイッチボタン１６の右下隅から左上隅に向かってスイッチボタン１６を押し込みつつ移動すると、突起２９ｅ、２９ａの押し込みに基づき支点用ドームスイッチ２３ｅおよびスクロール用ドームスイッチ２３ａの導通が順次に確立される。ＣＰＵ３３が、タイマー３４から時間経過通知を受け取る前に支点用ドームスイッチ２３ｅおよびスクロール用ドームスイッチ２３ａから導通信号を順次に受け取ると、ＣＰＵ３３の処理動作はステップＳ５に移行する。
【００７４】
ＣＰＵ３３は、ステップＳ５で、スクロール用ドームスイッチ２３ｉ、支点用ドームスイッチ２３ｅおよびスクロール用ドームスイッチ２３ａの配置に基づき移動ベクトル６４を特定する。ここでは、移動ベクトル６４はスクロール用ドームスイッチ２３ｉの中心からスクロール用ドームスイッチ２３ａの中心に向かって延びる矢印で規定される。導通の位置は行Ｒ３上の列Ｃ３から行Ｒ１上の列Ｃ１へ移動したことから、移動量は３行分および３列分と算出される。すなわち、特定された移動ベクトル６４は、ｙ座標軸に平行に規定される３行分の第１ベクトル６５と、ｘ座標軸に平行に規定される３列分の第２ベクトル６６とで規定される。
【００７５】
ここでは、第１ベクトル６５で３行分、第２ベクトル６６で３列分の移動量が算出されたことから、ＣＰＵ３３の動作はステップＳ６からステップＳ７に移行する。ベクトル６４はｘ座標軸およびｙ座標軸のいずれにも平行に規定されないことから、ＣＰＵ３３の処理動作はステップＳ７からステップＳ１１に移行する。ＣＰＵ３３は、ステップＳ１１で、ベクトル６４の向きに基づきＣＰＵ３３は画像のズームインおよびズームアウトのいずれかを決定する。第１ベクトル６５は表示画面４５の上方向に規定されることから、ＣＰＵ３３は第１ベクトル６５に画像のズームインを関連付ける。こうしてＣＰＵ３３は、ステップＳ１１で、画像のズームインすなわち拡大を指示する拡大指示信号をビデオチップ４１に送り出す。拡大指示信号を受け取ったビデオチップ４１は表示画面４５上で画像を拡大する。こうして斜め方向に配置されるドームスイッチ２３ｉ、２３ａの導通が検出されると、画像の拡大が実施される。
【００７６】
以上のような画像のズームインの実施にあたって、所定の時間内に例えばスクロール用ドームスイッチ２３ｃ、支点用ドームスイッチ２３ｅおよびスクロール用ドームスイッチ２３ｇで順次に導通が確立されてもよい。同様に、所定の時間内に例えばスクロール用ドームスイッチ２３ｉおよびスクロール用ドームスイッチ２３ａで順次に導通が確立されてもよい。同様に、所定の時間内に例えばスクロール用ドームスイッチ２３ｃおよびスクロール用ドームスイッチ２３ｇで順次に導通が確立されてもよい。
【００７７】
以上のようなＰＤＡ１１では、画像のズームの実施にあたって、ＣＰＵ３３は所定の時間内に所定の方向に配置される２つの接点の導通を順次に検出すればよい。すなわち、所定の方向に配置される始点および終点の接点で導通が確立されればよい。こういった接点は例えばドームスイッチ２３ａ〜２３ｉから構成される。ドームスイッチ２３ａ〜２３ｉは一般に広く用いられる。比較的に簡易な構造で画像のズームは実施されることができる。
【００７８】
しかも、ドームスイッチ２３ａ〜２３ｉは十字ボタンとして機能する。スイッチボタン１６は十字ボタンおよびズームボタンの両方の機能を兼ねることができる。ドームスイッチ２３ａ〜２３ｉは３行３列のマトリックスに配置されることから、利用者の親指の移動量はできる限り短縮されることができる。利用者は例えば親指１本でスイッチボタン１６を操作することができる。これまでのＰＤＡに比べて操作性は向上することができる。
【００７９】
その他、画像のスクロールや画像のズームの実施にあたって、終点のドームスイッチ２３ａ〜２３ｉで導通がそのまま維持されると、前述の画像のスクロールや画像のズームがそのまま継続されてもよい。ＣＰＵ３３が例えばタイマー３４から時間経過信号を受け渡された後もドームスイッチ２３ａ〜２３ｉから導通信号を受け取り続けると、ＣＰＵ３３はビデオチップ４１にスクロール継続信号やズーム継続信号を送り出す。こうしてビデオチップ４１は表示画面４５上で画像のスクロールや画像のズームを継続する。ドームスイッチ２３ａ〜２３ｉから導通信号が途絶えると、ＣＰＵ３３はビデオチップ４１にスクロール停止信号やズーム停止信号を送り出す。こうして画像のスクロールや画像のズームは停止する。
【００８０】
以上のように、本発明は画像のスクロールや画像のズームの実施にあたってスイッチすなわちドームスイッチ２３ａ〜２３ｉが使用される。こういったドームスイッチ２３ａ〜２３ｉでは、導通が確立されると電力が消費され、導通が解除されると電力は消費されない。したがって、こうしたドームスイッチ２３ａ〜２３ｉによれば、電力の消費量はできる限り低減されることができる。ＰＤＡ１１は長時間にわたって動作し続けることができる。その一方で、例えばタッチパッドでは導通の検出にあたって常に電力が消費される。ＰＤＡは長時間にわたって動作することができない。
【００８１】
（付記１）  画像を映し出す表示画面を区画するディスプレイパネルと、空間的に隔てられる複数の接点で個別に導通を確立するスイッチと、所定の時間内に２つの接点の導通が順次に検出されると、画像の制御処理を指示する制御回路とを備えることを特徴とする電子機器。
【００８２】
（付記２）  付記１に記載の電子機器において、前記制御回路は、所定の方向に配置される複数の前記接点で順次に導通が検出されると、前記画像の制御処理としてスクロールを指示することを特徴とする電子機器。
【００８３】
（付記３）  付記２に記載の電子機器において、前記制御回路は、導通する接点の配置に基づき特定される移動ベクトルに前記スクロールの方向を関連付けることを特徴とする電子機器。
【００８４】
（付記４）  付記１に記載の電子機器において、前記スイッチは、少なくとも３行３列のマトリックスに前記接点を配置することを特徴とする電子機器。
【００８５】
（付記５）  付記１に記載の電子機器において、前記制御回路は、所定の方向に配置される複数の前記接点で順次に導通が検出されると、前記画像の制御処理として画像のズームを指示することを特徴とする電子機器。
【００８６】
（付記６）  付記１に記載の電子機器において、電池に基づき駆動することを特徴とする電子機器。
【００８７】
（付記７）  空間的に隔てられる複数の接点で個別に導通を確立するスイッチで、所定の時間内に２つの接点の導通を順次に検出する工程と、導通が検出されると、ディスプレイパネルの表示画面上で画像の制御処理を実施する工程とを備えることを特徴とする表示画面の制御処理方法。
【００８８】
（付記８）  付記７に記載の表示画面の制御処理方法において、所定の方向に配置される複数の前記接点で順次に導通が検出されると、前記画像の制御処理としてスクロールを指示することを特徴とする表示画面の制御処理方法。
【００８９】
（付記９）  付記８に記載の表示画面の制御処理方法において、前記スクロールの方向は、導通する接点の配置に基づき特定される移動ベクトルに関連付けられることを特徴とする表示画面の制御処理方法。
【００９０】
（付記１０）  付記７に記載の表示画面の制御処理方法において、所定の方向に配置される複数の前記接点で順次に導通が検出されると、前記画像の制御処理としてズームを指示することを特徴とする表示画面の制御処理方法。
【００９１】
（付記１１）  空間的に隔てられる複数の接点で個別に導通を確立するスイッチで、所定の時間内に２つの接点の導通を順次に検出する工程と、導通を検出すると、画像の制御処理を指示する工程とをプロセッサに実行させることを特徴とする表示画面の制御処理プログラム。
【００９２】
（付記１２）  付記１１に記載の表示画面の制御処理プログラムにおいて、所定の方向に配置される複数の前記接点で順次に導通が検出されると、前記画像の制御処理としてスクロールを指示することを特徴とする表示画面の制御処理プログラム。
【００９３】
（付記１３）  付記１２に記載の表示画面の制御処理プログラムにおいて、前記スクロールの方向は、導通する接点の配置に基づき特定される移動ベクトルに関連付けられることを特徴とする表示画面の制御処理プログラム。
【００９４】
（付記１４）  付記１１に記載の表示画面の制御処理プログラムにおいて、所定の方向に配置される複数の前記接点で順次に導通が検出されると、前記画像の制御処理としてズームを指示することを特徴とする表示画面の制御処理プログラム。
【図面の簡単な説明】
【００９５】
【図１】本発明に係る電子機器の一具体例すなわち携帯情報端末（ＰＤＡ）の外観を概略的に示す正面図である。
【図２】ドームスイッチの配置を概略的に示すプリント基板の平面図である。
【図３】図１の３−３線に沿った部分垂直断面図である。
【図４】図１の４−４線に沿った部分垂直断面図である。
【図５】突起の配置を概略的に示すプリント基板の平面図である。
【図６】ＰＤＡの構成を概略的に示すブロック図である。
【図７】ＬＣＤパネルの表示画面の一具体例を概略的に示す図である。
【図８】移動ベクトルの一具体例を概略的に示すプリント基板の平面図である。
【図９】ＰＤＡでスクロール用ソフトウェアの処理工程の一具体例を示すフローチャートである。
【図１０】スクロール後の表示画面の一具体例を概略的に示す図である。
【図１１】移動ベクトルの一具体例を概略的に示すプリント基板の平面図である。
【図１２】スクロール後の表示画面の一具体例を概略的に示す図である。
【図１３】移動ベクトルの一具体例を概略的に示すプリント基板の平面図である。
【図１４】移動ベクトルの一具体例を概略的に示すプリント基板の平面図である。
【図１５】移動ベクトルの一具体例を概略的に示すプリント基板の平面図である。
【図１６】移動ベクトルの一具体例を概略的に示すプリント基板の平面図である。
【図１７】移動ベクトルの一具体例を概略的に示すプリント基板の平面図である。
【図１８】移動ベクトルの一具体例を概略的に示すプリント基板の平面図である。
【符号の説明】
【００９６】
１１  電子機器（携帯情報端末）、１３  ディスプレイパネル（ＬＣＤパネル）、１６  スイッチ、２３ａ〜２３ｉ  接点（ドームスイッチ）、３３  制御回路（ＣＰＵ）、４５  表示画面、５３  移動ベクトル、５４  移動ベクトル、６１  移動ベクトル、６４  移動ベクトル。
【図１】
2006092025.tif 000003
【図２】
2006092025.tif 000004
【図３】
2006092025.tif 000005
【図４】
2006092025.tif 000006
【図５】
2006092025.tif 000007
【図６】
2006092025.tif 000008
【図７】
2006092025.tif 000009
【図８】
2006092025.tif 000010
【図９】
2006092025.tif 000011
【図１０】
2006092025.tif 000012
【図１１】
2006092025.tif 000013
【図１２】
2006092025.tif 000014
【図１３】
2006092025.tif 000015
【図１４】
2006092025.tif 000016
【図１５】
2006092025.tif 000017
【図１６】
2006092025.tif 000018
【図１７】
2006092025.tif 000019
【図１８】
2006092025.tif 000020